【事件の表示】
　平成８年特許願第１１３７８４号「バッテリィ用端子」拒絶査定に対する審判事件［平成９年１１月２８日出願公開、特開平９−３０６５７６］について、次のとおり審決する。
【結　論】
　本件審判の請求は、成り立たない。
【理　由】
１．本願発明
　本願は、平成8年5月8日の出願であって、その請求項１に係る発明は、平成11年7月8日付け手続補正書で補正された明細書及び図面の記載からみて、その特許請求の範囲の請求項１に記載された以下のとおりのものである。
「請求項１
　複数の空洞部11を含む絶縁性のハウジング10と、該ハウジングの前記空洞部に実装された複数の電気コンタクト20とから成り、
　前記コンタクトの各々は、前記ハウジングによって保持された基部22と、可動の作動部21と、該基部と該作動部との間に設けた連結部とからなり、該作動部が該基部に対し弾性的に可動することを可能とし、
　前記コンタクトの各々は、更に、前記作動部の先端に接触部21aを有し、該接触部は前記ハウジングから突出して、該ハウジングに対しスライド方向及び衝突方向を二者択一的に可動のバッテリィと弾性的に係合することを特徴とする、バッテリィ用端子。」
２．引用例記載の発明
　これに対して、原査定の拒絶理由に引用した実願平5-22850号（実開平7-44254号公報）のＣＤ−ＲＯＭ（以下、「引用例」という。）には、接触子の過応力防止手段付き電気コネクタに関し、以下のことが記載されている。
a）「様々な電気コネクタが、接触子または端子が外部で相手コネクタの合わせ面に露出される環境で使用されている。しばしば、露出接触子は弾性金属で形成され、接触子が相手コネクタの接触子と接続されたときに撓んでコネクタのハウジング内に入り込むようになっている。場合によっては、接触子の接触圧力能力を増大するために、接触子に弾性的に予荷重を掛けることもある。」（段落【0002】）
b）「次に、図面について詳しく説明する。まず、図１および図２に、本考案を一般に符号１０（図１）で示す電気コネクタに組み込んだ実施例を示す。このコネクタは符号１２で示す誘電体ハウジングを有し、一般に符号１４で示す多数の接触子を搭載している。ハウジングは、プラスチック材料などから一体的に成形する。各接触子は、打抜き成形した弾性金属部品として製作する。
　次に、図１および図２に関連させながら、図３について説明する。誘電体ハウジング１２は、各接触子１４を取り付ける内部接触子受容空洞部１６を有する。スロット１８は各空洞部１６とハウジングの合わせ面２０とを連絡する。また、凹み部２４（図３）のように、各スロット１８の両側に形成した１対の棚２２によって、各スロット内に停止表面手段を設ける。
　各接触子１４は概してＵ字形であり、Ｕ字形の一方の脚を構成する弾性ばね接触アーム２６を含む。Ｕ字形のもう一方の脚は、以下で説明するように、ハウジング１２の空洞部１６の１つの内部に固定されるベース２８を構成する。各ばね接触アーム２６の接触部３８は、アームの両端の中間にある折曲げ山部３０によって構成される。以下で説明するように、接触子に予荷重を与えるために、ばね接触アームは遠端３２で終わる。ベース２８は接触子のソルダテール部３４で終る。以下で説明するように、ソルダテール部は、ベースに対して直角に折り曲げられる。また、以下で説明する目的のために、ベース２８からロックタブ３６を型打ち成形する。
　図３に最も分かりやすく示すように、各接触子１４は、これを矢印Ａの方向にハウジング内に挿入することによって、ハウジング１２に装着する。ベース２８は、Ｕ字形接触子の脚間の接合部３８がハウジングの内壁４０と係合するまで、空洞部１５内に滑り込む。このとき、ロックタブ３６がハウジングの空洞部の底部に形成されたロック穴４２に嵌合する。したがって、接触子は空洞部から外れなくなる。ハウジング内に完全に挿入すると、ソルダテール３４は矢印Ｂの方向に下向きに折り曲げることができる。図２から分かるように、ハウジング内に完全に装着されると、ばね接触アーム２６、特に接触部は、以下で説明するように、相手コネクタの相補形接触子と係合するために、ハウジングの合わせ面２０のスロット１８より上に突出する。」（段落【0011】〜【0014】）
c）「最後に、図４に本考案の１つの適用例として、ハンドセット５２を含む携帯電話のベースモジュール５０に装着されたコネクタ１０を幾分概略的に示す。接触子１４のソルダテール３４が、プリント基板５６の穴５４に挿入して基板または穴の回路トレースと相互接続するために、下向きに折り曲げられているのが分かる。図４はまた、プリント基板の相補形穴に取り付けるために、ハウジング１２に少なくとも１つの取付ペグ５８が含まれることを示す。ハンドセット５２は、接触子１４、特に接触子の折曲げ山部３０と表面係合するために、相手コネクタ６４の多数の相補形接触子６２を含む。ハンドセットは、符号６６で示すように相互係合する相補形ショルダ手段によってベースモジュールに装着する。次にハンドセットを相互係合ショルダ手段を中心として矢印Ｅの方向に下向きに回転すると、ばね接触アーム２６がハウジング１２のそれぞれのスロット内に偏位する。ハンドセットをベースモジュール上に完全に閉じると、ばね接触アームは撓んでスロット内に完全に押し込まれ、適切に撓んだ接触状態になる。しかし、異物またはハンドセット自体の縁部が誤って接触子１４の１つのばね接触アームと係合し、ばね接触アームが滞在的過応力状態に陥った場合には、接触アームの両側から外側へ突出した翼４８が、スロットの両側の棚２２（図３）と係合し、過剰な撓みを防止し、したがってばね接触アームの過応力を防止する。」（段落【0017】）
３．対比
　そこで、本願請求項１に係る発明（以下、「本願発明」という。）と引用例に記載された発明とを対比する。
　引用例に記載の、「誘電体ハウジング12」、「スロット18」、「接触子14」、「ベース28」、「弾性ばね接触アーム26」、「接合部38」、「折曲げ山部30」は、それぞれ、本願発明における「絶縁性ハウジング10」、「空洞部11」、「電気コンタクト20」、「基部22」、「可動の作動部21」、「基部と作動部との間に設けた連結部」、「接触部21a」にそれぞれ相当する。
　そして、引用例に記載された発明において、絶縁性ハウジングは複数の空洞部を含み、基部はロックタブ36によりハウジングに保持されるものであり、作動部は基部に対し弾性的に可動するものであり、さらに、接触部はハウジングから突出し、ハウジングに対して衝突方向に可動の部材（ハンドセット）と弾性的に係合するものであるから、両者は、
「複数の空洞部を含む絶縁性のハウジングと、該ハウジングの前記空洞部に実装された複数の電気コンタクトとから成り、
　前記コンタクトの各々は、前記ハウジングによって保持された基部と、可動の作動部と、該基部と該作動部との間に設けた連結部とからなり、該作動部が該基部に対し弾性的に可動することを可能とし、
　前記コンタクトの各々は、更に、前記作動部の先端に接触部を有し、該接触部は前記ハウジングから突出して、該ハウジングに対し衝突方向に可動の部材と弾性的に係合することを特徴とする、端子。」である点で一致し、以下の点で相違するものと認める。
（相違点）
イ）可動の部材と弾性的に係合する接触部が、本願発明は、「ハウジングに対しスライド方向及び衝突方向を二者択一的」としたものであるのに対して、引用例に記載された発明は、該構成を具備していない点、
ロ）可動の部材が、本願発明は、バッテリィであるのに対して、引用例に記載された発明は、ハンドセットである点、および端子が、本願発明はバッテリィ用であるのに対して、引用例に記載された発明は、ハンドセット用である点、
４．判断
　そこで上記相違点について検討する。
　相違点イ）について
　引用例に記載された接触子14は、その接触部が山形であることから、ハウジングに対し衝突方向のみならず、スライド方向に可動の部材と弾性的に係合可能と認められる。
　したがって、引用例には、接触子14がハウジングに対してスライド方向に可動の部材と弾性的に係合可能である点は明記されていないが、接触子14を、ハウジングに対してスライド方向及び衝突方向を二者択一的に可動の部材と弾性的に係合することは、接触子14の構造からして当業者が必要に応じて適宜成し得るものと認められる。
　相違点ロ）について
　ハンドセットは、駆動のためのバッテリィを内蔵するものであるから、可動の部材としてハンドセットをバッテリィそのものに置き換えることおよびハンドセット用端子をバッテリィ用端子に置き換えることは、当業者の設計的事項と認める。
　また、本願発明の奏する効果も引用例に記載された発明から予測される効果にすぎない。
　したがって、本願発明は、引用例に記載された発明に基づいて当業者が容易になし得たものと認められる。
５．まとめ
　以上のとおりであるから、本願発明については、特許法第２９条第２項の規定により特許を受けることができない。
　よって、結論のとおり審決する。